(57)【要約】【課題】被洗浄面にブラシ片による傷を付着させること無く、ブラシ片を構成する洗浄部材と保護部材の異なる洗浄機能により、優れた洗浄性能が発揮される洗車機用洗浄ブラシ、及びその洗車機用洗浄ブラシを搭載した洗車機を提供する。【解決手段】洗車機用洗浄ブラシ１はチャンネルブラシ２、軸体３、及び係止具４を有し、前記チャンネルブラシ２はブラシ片５、芯線６、及び帯状体７からなると共に、前記軸体３の外周面に前記係止具４にて固定されてあり、前記ブラシ片５は先端に細分割部１０が形成された長尺形状の洗浄部材８、及び平板状の保護部材９を有し、前記洗浄部材８と前記保護部材９は重ね合わされ、前記芯線６、及び前記帯状体７にて挟み付けられ、前記保護部材９が前記洗浄部材８の外方に位置するよう折り合わされて形成されてあるものである。【選択図】      図１
2008264139.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシはチャンネルブラシ、軸体、及び係止具を有し、前記チャンネルブラシはブラシ片、芯線、及び帯状体からなると共に、前記軸体の外周面に前記係止具にて固定されてあり、前記ブラシ片は先端に細分割部が形成された長尺形状の洗浄部材、及び平板状の保護部材を有し、前記洗浄部材と前記保護部材は重ね合わされ、前記芯線、及び前記帯状体にて挟み付けられ、前記保護部材が前記洗浄部材の外方に位置するよう折り合わされて形成されてあることを特徴とする洗車機用洗浄ブラシ。
【請求項２】
請求項１記載の構成よりなる洗車機用洗浄ブラシにおいて、保護部材の自由端部は洗浄部材の細分割部の形成領域内にて設定されてあることを特徴とする洗車機用洗浄ブラシ。
【請求項３】
請求項１から２記載の構成よりなる洗車機用洗浄ブラシにおいて、複数本のチャンネルブラシが螺旋状に軸体に装着されてあると共に、係止具にて固定されてあることを特徴とする洗車機用洗浄ブラシ。
【請求項４】
請求項１から３記載の構成よりなる洗車機用洗浄ブラシにおいて、少なくとも１本のチャンネルブラシが螺旋状に軸体に巻き付けられてあると共に、係止具にて固定されてあることを特徴とする洗車機用洗浄ブラシ。
【請求項５】
駆動源と、被洗浄面に散布する洗浄剤及び洗浄水を噴出させるノズルと、洗浄後の被洗浄面を乾燥させる乾燥手段を備えると共に、請求項１から４のいずれか１項に記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシ、及びその洗浄ブラシを搭載した洗車機に関しては、使用目的に応じて、さまざまな改良がなされ、例えば、ポリエチレン等の熱可塑性樹脂からなる長尺形状のモノフィラメントのブラシ毛材を軸体に装着した洗車機用洗浄ブラシが、一般的に知られている。前記洗車機用洗浄ブラシのブラシ毛材の先端には、細分割部が形成され、前記細分割部が被洗浄面の細かな凹凸部分に強固に付着している汚れを掻き出すので、洗車機用洗浄ブラシは高い洗浄性能を有する。
【０００３】
しかしながら、ブラシ毛材の先端に設けられた細分割部以外の非細分割部は、細分割部に比べて硬質である為、洗車機用洗浄ブラシが洗車機の駆動源により回転し、遠心力により非細分割部が被洗浄面に当接すると、被洗浄面に傷を付着させやすいという問題があった。特に、近年、微細なアルミ片を有するメタリック塗装、微細な雲母片を有するパール塗装等の被洗浄面の高光沢化に伴い、前記非細分割部による被洗浄面にたいする傷付きが目立ち、問題となっている。
【０００４】
また、細分割部を、ブラシ毛材の先端のみでなく、装着した軸体の近傍にまで形成した場合には、上記の如くの被洗浄面にたいする傷の付着の問題は解消されるものの、ブラシ毛材の毛腰が極めて弱くなり、洗車機用洗浄ブラシが洗車機の駆動源により回転すると、ブラシ毛材は軸体に巻き付きながら回転する。その為、ブラシ毛材の被洗浄面にたいする作用半径が小さくなり、被洗浄面に洗い残しが生じ、洗車機用洗浄ブラシの洗浄性能が劣るという問題があった。
【０００５】
上記問題を解決する為に、剛性度が１２００ｋｇ／ｃｍ２〜５０００ｋｇ／ｃｍ２の熱可塑性樹脂で構成された分岐形状の断面をなす発泡糸で、発泡倍率が１．１〜１．７倍であることを特徴とする回転ブラシ用発泡糸（例えば、特許文献１）が考案されている。
【０００６】
また、回転軸の周囲に、ひだ寄せした布帛又はひだ寄せした合成樹脂発泡体シートである第一のブラシ材と、自由端側をスリットで細分した合成樹脂発泡体シート又はモノフィラメントの束である第二のブラシ材とを設けたことを特徴とする洗車ブラシ（例えば、特許文献２）がある。
【０００７】
【特許文献１】特公平６−２１３７１号公報
【特許文献２】実用新案登録第３０９７３６９号
【発明の開示】
【発明が解決しようとする課題】
【０００８】
特許文献１の回転ブラシ用発泡糸は、従来の非発泡糸と同様の長尺形状であり、毛腰の強さ、及び強度もほぼ同等であることから、被洗浄面の細かい凹凸部分は洗浄できる。しかしながら、発泡糸は、非発泡糸に比べて柔軟ではあるものの、発泡倍率が１．１〜１．７倍と低発泡である為、材質はやはり硬質であり、回転ブラシの遠心力により被洗浄面に当接すると、被洗浄面に傷を付着させやすいという課題を有していた。また、回転ブラシは、モノフィラメントの発泡糸のみで構成されているので、被洗浄面の広い面積に付着する汚れを、迅速に除去することが難しいという課題も有していた。
【０００９】
また、特許文献２の洗車ブラシは、１本の洗車ブラシにおいて、第一のブラシ材と、第二のブラシ材が採用されているので、洗車ブラシはそれぞれのブラシ材の有する特長を活かしながら洗車できる。しかしながら、第一のブラシ材と、第二のブラシ材は、回転軸の軸方向に交互に取り付けられ、それぞれ回転軸の軸方向に多段にかつ各段毎に回転軸を一周する方向に取り付けられたり、回転軸の上部の段に第一のブラシ材が用いられ、回転軸の下部の段に第二のブラシ材が用いられたり、回転軸の周方向及び軸方向に交互に位置するよう、回転軸の軸方向に多段にかつ各段毎に回転軸を一周する方向に取り付けられたり、回転軸の周方向に交互で、回転軸の軸方向に揃う位置に取り付けられている。その為、第一のブラシ材と、第二のブラシ材に布帛、合成樹脂発泡体シートが採用され、洗車ブラシが構成されている場合には、被洗浄面に傷を付着させることは無いが、第二のブラシ材として、ポリオレフィン、ポリオレフィンを主体とした共重合体、これらのブレンド物又はこれらの変性物のモノフィラメントの束が採用されてある場合には、洗車ブラシの回転に伴い、遠心力が前記モノフィラメントの束に加わりながら被洗浄面に当接する。モノフィラメントの束は、硬質である為、被洗浄面に傷を付着させやすいという課題を有していた。
【００１０】
本発明は、上記従来の課題を解決するもので、被洗浄面にブラシ片による傷を付着させること無く、ブラシ片を構成する洗浄部材と保護部材の異なる洗浄機能により、優れた洗浄性能が発揮される洗車機用洗浄ブラシ、及びその洗車機用洗浄ブラシを搭載した洗車機を提供することを目的としている。
【課題を解決するための手段】
【００１１】
前記従来の課題を解決する為に、請求項１の発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシはチャンネルブラシ、軸体、及び係止具を有し、前記チャンネルブラシはブラシ片、芯線、及び帯状体からなると共に、前記軸体の外周面に前記係止具にて固定されてあり、前記ブラシ片は先端に細分割部が形成された長尺形状の洗浄部材、及び平板状の保護部材を有し、前記洗浄部材と前記保護部材は重ね合わされ、前記芯線、及び前記帯状体にて挟み付けられ、前記保護部材が前記洗浄部材の外方に位置するよう折り合わされて形成されてあるもので、被洗浄面には洗浄部材と、保護部材が当接する。その為、長尺形状の洗浄部材の有する細分割部により、被洗浄面の細かな凹凸部分に強固に付着している汚れが掻き取られると共に、平板状の保護部材により、被洗浄面の広い面積に付着している汚れを迅速に拭い取るので、洗車機用洗浄ブラシは優れた洗浄性能が発揮される。
【００１２】
なお、洗浄部材には、ポリエチレン、ポリプロピレン等のポリオレフィン系熱可塑性樹脂が採用され、前記熱可塑性樹脂にたいしてエチレン−αオレフィン共重合体エラストマー、エチレン−αオレフィン架橋共重合体エラストマー、スチレン・エチレン・ブロック共重合体エラストマー等の熱可塑性エラストマーをブレンドして用いることもできる。熱可塑性樹脂に、熱可塑性エラストマーをブレンドした場合、洗浄部材に柔軟性が付与される。前記の如く、異なる高分子体をブレンドすることは、一般的にポリマーアロイと呼ばれている。
【００１３】
また、保護部材には、織布、不織布、編物等の布帛、人工皮革、合成皮革、人造皮革等の擬革、合成樹脂発泡体シート、熱可塑性エラストマーシート、フィルム状樹脂組成物シート等が採用され、前記の如くの平板状の保護部材には、スリットによる分割片を形成して用いることも可能である。分割片を形成した場合、保護部材は広い面積に付着している汚れを除去すると共に、被洗浄面の曲面部分にたいしても当接しやすくなり、洗浄性能の向上につながる。前記の如くの材質は、柔軟性に優れ、被洗浄面に当接しても、被洗浄面に傷を付着させることは無い。
【００１４】
請求項２の発明の洗車機用洗浄ブラシは、特に、請求項１の発明の洗車機用洗浄ブラシにおいて、保護部材の自由端部は洗浄部材の細分割部の形成領域内にて設定されてあるもので、細分割部に比べて硬質な洗浄部材の非細分割部は、保護部材が重ね合わされているので、被洗浄面には直接、当接しない。その為、洗車機用洗浄ブラシは、ブラシ片により被洗浄面に傷を付着させることが無い。
【００１５】
請求項３の発明の洗車機用洗浄ブラシは、特に、請求項１から２の発明の洗車機用洗浄ブラシにおいて、複数本のチャンネルブラシが螺旋状に軸体に装着されてあると共に、係止具にて固定されてあるもので、ブラシ片は連続的に被洗浄面に当接する。その為、洗浄性能が大幅に向上すると共に、ブラシ片が被洗浄面に当接する際の当接音の静音化につがる。
【００１６】
請求項４の発明の洗車機用洗浄ブラシは、特に、請求項１から３の発明の洗車機用洗浄ブラシにおいて、少なくとも１本のチャンネルブラシが螺旋状に軸体に巻き付けられてあると共に、係止具にて固定されてあるもので、チャンネルブラシが傾斜角度を有する為、洗車中における洗車機用洗浄ブラシの保水性が高まり、洗浄性能が飛躍的に向上する。
【００１７】
請求項５の発明の洗車機は、駆動源と、被洗浄面に散布する洗浄剤及び洗浄水を噴出させるノズルと、洗浄後の被洗浄面を乾燥させる乾燥手段を備えると共に、請求項１から４のいずれか１項に記載の洗車機用洗浄ブラシを搭載したもので、被洗浄面に傷を付着させること無く、優れた洗浄性能を有する洗車機用洗浄ブラシが搭載されてある為、洗車機は、駆動源により洗車機用洗浄ブラシを低速に設定すると共に、洗浄時間を短時間に設定した場合においても、洗い残しの発生が防止され、優れた洗浄性能が発揮される。また、高速回転した場合においても、被洗浄面に傷を付着させることが無い。
【発明の効果】
【００１８】
請求項１の発明の洗車機用洗浄ブラシは、被洗浄面に洗浄部材と、保護部材が当接するので、洗浄部材と保護部材のそれぞれの特長を活かして優れた洗浄性能を発揮することができる。
【００１９】
請求項２の発明の洗車機用洗浄ブラシは、細分割部に比べて硬質な洗浄部材の非細分割部が、保護部材に重ね合わされており、被洗浄面には直接、当接しないので、ブラシ片により被洗浄面に傷を付着させることが無い。
【００２０】
請求項３の発明の洗車機用洗浄ブラシは、ブラシ片が連続的に被洗浄面に当接するので、洗浄性能が大幅に向上すると共に、ブラシ片が被洗浄面に当接する際の当接音の静音化を図ることができる。
【００２１】
請求項４の発明の洗車機用洗浄ブラシは、チャンネルブラシが傾斜角度を有するので、洗車中における洗車機用洗浄ブラシの保水性が高まり、洗浄性能が飛躍的に向上する。
【００２２】
請求項５の発明の洗車機は、被洗浄面に傷を付着させること無く、優れた洗浄性能を有する洗車機用洗浄ブラシが搭載されてあるので、駆動源により洗車機用洗浄ブラシを低速に設定すると共に、洗浄時間を短時間に設定した場合においても、洗い残しの発生が防止され、優れた洗浄性能を発揮することができる。また、高速回転した場合においても、被洗浄面に傷を付着させることが無い。
【発明を実施するための最良の形態】
【００２３】
以下、本発明の実施の形態について図面を参照しながら説明する。なお、この実施の形態により本発明が限定されるものではない。
【００２４】
（実施例１）
図１（ａ）は、本発明の第１の実施例における洗車機用洗浄ブラシを前面側から見た斜視図、図１（ｂ）は、チャンネルブラシの断面図、図２（ａ）は、洗浄部材を前面側から見た斜視図、図２（ｂ）は、保護部材を前面側から見た斜視図、図３は、チャンネルブラシの製造状態を前面側から見た斜視図である。
【００２５】
図１（ａ）、及び図１（ｂ）において、洗車機用洗浄ブラシ１は、ブラシ片５を芯線６、及び帯状体７にて挟み付けると共に、折り合わして形成された４本のチャンネルブラシ２が、アルミ、鉄等の金属、あるいは塩化ビニル、ポリアセタール等の合成樹脂からなる略円筒形状の軸体３の外周等分４箇所に配置されると共に、チャンネルブラシ２の両端部に係止具４を覆い被せ、係止具４の両端部をネジ１２にて軸体３に固定して形成されている。係止具４、及びネジ１２は鉄等の金属材料からなる。なお、チャンネルブラシ２は、軸体３の外周面にたいして、等分４箇所以外にも、使用目的に応じて、等分６箇所、等分８箇所、等分１２箇所等を配置しても構わない。また、軸体３の外周面に溝部を形成すると共に、前記溝部にチャンネルブラシ２を挿入し、係止具４、及びネジ１２にて軸体３に固定して洗車機用洗浄ブラシ１を形成することもできる。
【００２６】
チャンネルブラシ２を構成する芯線６は、概丸形断面を有する略円柱形状で、アルミ、鉄等の金属材料からなる。また、帯状体７は、概コ字状断面を有する長尺形状で、アルミ、鉄等の金属材料からなる。ブラシ片５は、先端に細分割部１０が形成された洗浄部材８と、平板状の保護部材９が重ね合わされ、芯線６、及び帯状体７にて挟み付けられると共に、保護部材９が洗浄部材８の外方に位置し、概Ｖ字断面を有するように折り合わされている。また、保護部材９の自由端部１１は、洗浄部材８に形成された細分割部１０の形成領域内にて設定されている。
【００２７】
次に、図２を用いて、洗浄部材８、及び保護部材９について詳述する。
【００２８】
図２（ａ）において、洗浄部材８は、概波形断面を有する長尺形状であり、両端部には細分割部１０が形成されている。洗浄部材８は、概波形断面を有していることから、表面の凹部に洗浄水を一時的に溜めることができるので、洗車中の保水性が高まり、洗浄性能の向上につながる。洗浄部材８の厚みは０．３〜３ｍｍ程度、幅は１〜１０ｍｍ程度に設定される。厚みが０．３ｍｍ未満の場合には、耐久性が劣り、３ｍｍを超える場合には、柔軟性が損なわれる。幅が１ｍｍ未満の場合には、毛腰が弱く、１０ｍｍを超える場合には、柔軟性が劣ることになる。また、細分割部１０に形成された１本あたりのブラシ毛材の幅、及び長さは、洗浄部材８の幅、長さにもよるが、幅は０．０５〜０．５ｍｍ程度、長さは１０〜５０ｍｍ程度に設定されるのが望ましい。幅が０．０５ｍｍ未満の場合には、切れやすく耐久性が劣り、０．５ｍｍを超える場合には、被洗浄面の細か凹凸部分に付着した汚れの掻き取り性能が劣る。長さが１０ｍｍ未満の場合には、汚れの掻き取り性能が劣り、５０ｍｍを超える場合には、毛腰が極めて弱くなる。なお、洗浄部材８の断面形状は、特に限定されるものではなく、概丸形断面でもよく、例えば、十字形断面、Ｍ字形断面、Ｎ字形断面、卍形断面等の異形断面形状であっても構わない。
【００２９】
洗浄部材８は、超低密度ポリエチレン、低密度ポリエチレン、直鎖状低密度ポリエチレン、中密度ポリエチレン、高密度ポリエチレン、ポリプロピレン等のポリオレフィン系熱可塑性樹脂からなるモノフィラメントである。また、洗浄部材８に柔軟性を付与する目的で、前記熱可塑性樹脂に、エチレン−αオレフィン共重合体エラストマー、エチレン−αオレフィン架橋共重合体エラストマー、スチレン・エチレン・ブロック共重合体エラストマー等の熱可塑性エラストマーをブレンドして、洗浄部材８を形成することもできる。熱可塑性樹脂と熱可塑性エラストマーの重量配合比率は、９９：１〜９０：１０にて設定されるのが望ましい。熱可塑性エラストマーが１％未満の場合には、洗浄部材８に柔軟性を付与することが難しく、１０％を超える場合には洗浄部材８の毛腰が弱くなり、洗浄性能が劣ることになる。
【００３０】
洗浄部材８は、次の手順にて製造される。最初にペレット状、あるいは粉末状の熱可塑性樹脂を融点以上の温度にて加熱して溶融する。熱可塑性エラストマーを配合する場合には、熱可塑性樹脂と共に溶融する。次に、押出機の先端に取り付けられた概波形の口金を通して、紡糸する。押し出し後、加熱しながら延伸機にて長手方向に延伸をかけ、延伸後、アニーリングと呼ばれる工程にて冷却固化させることにより、モノフィラメントが形成される。前記の如くの製造方法は、一般的には押出成形と呼ばれている。次に、得られたモノフィラメントを所望の長さに切断し、モノフィラメントの両端部の所定長さを、所定回転速度で回転している分割刃やカッターを有する細分割加工機にて加工することにより、両端部に細分割部１０が形成された洗浄部材８が製造される。
【００３１】
モノフィラメントの長手方向に延伸をかける上記の如くの方法は、一軸延伸と呼ばれている。一軸延伸は、一方向にのみ延伸応力をかける加工方法であり、延伸方向にたいして平行の方向は、分子配向が起こるので、引張強さが著しく向上するが、延伸方向にたいして直角の方向は、引張強さが向上しない為、延伸方向にたいして平行の方向に、裂けやすくなるという性質を有している。その為、洗浄部材８は、細分割部１０を形成することが可能となる。なお、分子配向とは、線状分子が溶融または固体状態において、外力の作用により、一定方向に配列することである。
【００３２】
図２（ｂ）において、保護部材９は、繊維を絡合、結合した平板状の不織布からなる。保護部材９の厚みは、０．３〜３ｍｍ程度に設定される。厚みが０．３ｍｍ未満の場合には、耐久性が劣り、３ｍｍを超える場合には、洗車機用洗浄ブラシ１の重量が重くなり、洗車機の駆動源にたいする負荷が増大し、回転が不安定となる。また、保護部材９の長さは、洗浄部材８に重ね合わされた時、洗浄部材８に形成された細分割部１０の形成領域内に自由端部１１が位置するように設定される。
【００３３】
次に、保護部材９を構成する不織布の製造方法について一例を述べる。
【００３４】
最初に、ポリエチレンテレフタレート、ポリブチレンテレフタレート、ポリトリメチレンテレフタレート、ポリアミド６、ポリアミド６６、ポリエチレン、ポリプロピレン等の合成樹脂を溶融紡糸して、繊維を得る。得られた繊維を、特殊な針を突き刺すニードルパンチングと呼ばれている工程により立体的に絡合して布状体となるウエッブを形成する。次いで、前記ウエッブにたいして、１００〜１５０ｋｇ程度の高圧水流をあて、繊維を結合させる。前記の如くの製造方法は、一般的に水流絡合法と呼ばれている。
【００３５】
不織布の製造方法は、前記水流絡合法以外にも、熱溶融した合成樹脂を連続的に紡糸して繊維を形成し、繊維を延伸しながら捕集ネット上に集積して熱ロールで加圧することにより繊維を結合して不織布を形成するスパンボンド法、熱溶融した合成樹脂を紡糸口から吐出する際、高温エアーで紡出し、捕集ネット上で加熱された繊維を結合させて不織布を形成するメルトブロー法、塩化メチレン、フロン等の低沸点溶剤中に合成樹脂を溶解し、紡糸口から加熱、加圧状態で繊維を紡糸すると同時に、前記低沸点溶剤を揮発させ、繊維を捕集ネット上に集積し、熱ロールで加圧して繊維を結合して不織布を形成するフラッシュ紡糸法、繊維の表面に結合剤を付着させることで繊維を結合させて不織布を形成するケミカルボンド法、融点の異なる複数の合成樹脂を溶融して融点の高い方の合成樹脂を紡糸して繊維を形成し、溶融された融点の低い方の合成樹脂をバインダーとして繊維を接着させて不織布を形成するファイバーボンド法やサーマルボンド法等により製造された不織布を用いても構わない。
【００３６】
また、保護部材９は、不織布の他、織布、編物等の布帛、人工皮革、合成皮革、人造皮革等の擬革、合成樹脂発泡体シート、熱可塑性エラストマーシート、フィルム状樹脂組成物シート等が採用される。不織布を含み、前記の如くの材質は、柔軟性に優れ、被洗浄面に当接しても、被洗浄面に傷を付着させることは無い。保護部材９に用いられる材質の選択については、洗車機用洗浄ブラシ１の使用条件、コスト等により、適宜、決定されるものである。
【００３７】
次に、洗車機用洗浄ブラシ１の製造方法について説明する。
【００３８】
最初に、図３の如く、断面が概コ字状の長尺の帯状体７にたいして、洗浄部材８、及び保護部材９の中央部が、帯状体７の上部になるよう基台１３に設置すると共に、保護部材９の上部に洗浄部材８を配置し、保護部材９の両側の自由端部１１は、洗浄部材８の有する細分割部１０の形成領域内に重ね合わされる。次いで、縦ロール１４を使用して、芯線６にて洗浄部材８、及び保護部材９を挟み付けると共に、芯線６を概コ字状の帯状体７の内部に押し込む。次に、帯状体７の両側に設置された横ロール１５を使用して、帯状体７を両側から、かしめる。その結果、図１（ｂ）の如く、中央部が芯線６、及び帯状体７に挟み付けられて折り合わされた洗浄部材８、及び保護部材９からなるブラシ片５を有するチャンネルブラシ２が形成される。
【００３９】
そして、直線状に形成されたチャンネルブラシ２を、所望の長さに切断して、４本のチャンネルブラシ２を用意すると共に、チャンネルブラシ２の両端部に形成されたブラシ片５を帯状体７の近傍にて切り取り、軸体３の外周面に配置する。次に、ブラシ片５が切り取られたチャンネルブラシ２の両端部に、係止具４を覆い被せ、係止具４の両端部をネジ１２にて軸体３に固定して洗車機用洗浄ブラシ１が製造される。
【００４０】
次に、本発明の洗車機用洗浄ブラシ１の洗浄性能、及び被洗浄面にたいする傷の付着について試験した。下記に示した要領で測定し、その結果を表１に示した。
【００４１】
実施例として、厚みが０．５ｍｍ、幅が７ｍｍ、長さが２４０ｍｍの洗浄部材８を複数本用意した。洗浄部材８の両端部には、１本あたりのブラシ毛材の幅が約０．２ｍｍ、長さが２０ｍｍの細分割部１０を形成した。また、厚みが０．５ｍｍ、幅が１８０ｍｍ、長さが２１０ｍｍの保護部材９を用意した。次に、アルミからなる芯線６と帯状体７にて洗浄部材８、及び保護部材９を重ね合わせると共に、保護部材９が洗浄部材８の外方に位置するよう挟み付けて折り合わされたブラシ片５を有する長さが１８０ｍｍのチャンネルブラシ２を、４本形成した。チャンネルブラシ２の両端部に形成されたブラシ片５は、チャンネルブラシ２の長手方向１０ｍｍに亘って、帯状体７の近傍にて切り取った。次に、直径が１１４ｍｍで且つ長さが３６０ｍｍの鉄製の略円筒形状の軸体３の外周等分４箇所に、チャンネルブラシ２を配置し、チャンネルブラシ２の両端部に係止具４を覆い被せ、係止具４の両端部をネジ１２にて軸体３に固定して試験用の洗車機用洗浄ブラシ１を１本製作した。なお、洗浄部材８は、直鎖状低密度ポリエチレン９８％にたいし、エチレン−αオレフィン共重合体エラストマーを２％配合した概波形断面を有するモノフィラメントを用いた。また、保護部材９は、繊維にポリエステルが７０％、ナイロンが３０％配合された水流絡合法により製造された不織布を用いた。
【００４２】
また、比較例として、保護部材９が形成されていないこと以外は、上記実施例の洗車機用洗浄ブラシ１と同一の洗車機用洗浄ブラシを１本製作した。
【００４３】
次に、上記の如く構成された実施例と比較例の試験用の洗車機用洗浄ブラシ１をそれぞれ回転試験機に取り付け、２４０ｒｐｍの一定の回転速度で回転させる一方、一面に人工汚れを塗布した白色ソリッド塗装鋼板を用意し、前記回転速度で回転している軸体３の外周面に取り付けたブラシ片５の先端が描く仮想円上から３０ｍｍだけ軸体３の回転軸方向に近接した位置に前記白色ソリッド塗装鋼板を、その汚れ面が軸体３に対向した状態に配設すると共に、６Ｌ毎分の散布量にて洗浄水を吹き付けながら１分間に亘って鋼板の汚れ面にブラシ片５を順次、当接させることによって鋼板の汚れを除去した。
【００４４】
そして、鋼板の汚れ面におけるブラシ片５によって汚れを除去した部分の明度を、日本電色工業株式会社製の色差計ＮＲ−１で測定して、下記基準により、洗浄性能を判断した。
○・・・明度の向上が＋５以上
△・・・明度の向上が＋２以上＋５未満
×・・・明度の向上が＋２未満
【００４５】
次に、実施例と比較例の試験用の洗車機用洗浄ブラシ１を、２４０ｒｐｍの一定の回転速度で回転させる一方、黒色メタリック塗装鋼板を用意し、前記回転速度で回転している軸体３の外周面に取り付けたブラシ片５の先端が描く仮想円上から３０ｍｍだけ軸体３の回転軸方向に近接した位置に前記黒色メタリック塗装鋼板を、軸体３に対向した状態に配設すると共に、６Ｌ毎分の散布量にて洗浄水を吹き付けながら３０秒間に亘ってブラシ片５を順次、当接させた。
【００４６】
そして、ブラシ片５が当接した鋼板の表面の平均粗さを、株式会社ミツトヨ製の面粗度計Ｓｕｒｆｔｅｓｔ３０１で測定して、下記基準により、被洗浄面にたいする傷の付着を判断した。
○・・・ブランクの平均粗さの値との差が０．０１μ以下であった
×・・・ブランクの平均粗さの値との差が０．０１μを超えていた
【００４７】
【表１】
2008264139.tif 000003
【００４８】
上記試験結果より、実施例の洗車機用洗浄ブラシ１は、被洗浄面にたいして、ブラシ片５を構成する洗浄部材８の有する細分割部１０と、保護部材９が当接するので、洗浄部材８の先端に形成された細分割部が被洗浄面の細かな凹凸部分に付着している汚れを掻き取ると共に、平板状の保護部材９により、被洗浄面の広い面積に付着している汚れを迅速に拭い取るので、洗車機用洗浄ブラシ１は優れた洗浄性能を有するものであった。また、細分割部１０に比べて硬質な洗浄部材８の非細分割部は、保護部材９が重ね合わされているので、被洗浄面には直接、当接せず、被洗浄面の平均粗さはブランク値と差が無く、ブラシ片５による被洗浄面にたいする傷の付着は認められなかった。
【００４９】
一方、比較例の洗車機用洗浄ブラシは、被洗浄面にたいして、ブラシ片を構成する洗浄部材８のみが当接するので、洗浄部材８の先端に形成された細分割部が被洗浄面の細かな凹凸部分に付着している汚れを掻き取るものの、被洗浄面の広い面積に付着している汚れを迅速に除去することができず、洗浄性能については、実施例の洗車機用洗浄ブラシ１に比べて、やや劣るものであった。また、細分割部１０に比べて硬質な洗浄部材８の非細分割部が被洗浄面に当接するので、被洗浄面の平均粗さはブランク値と０．０４μの差があり、ブラシ片による被洗浄面にたいする傷の付着が認められた。
【００５０】
上記の如く構成された洗車機用洗浄ブラシ１の動作、作用は下記の通りである。
【００５１】
洗車機用洗浄ブラシ１はチャンネルブラシ２、軸体３、及び係止具４を有し、チャンネルブラシ２はブラシ片５、芯線６、及び帯状体７からなると共に、軸体３の外周面に係止具４にて固定されてあり、ブラシ片５は先端に細分割部１０が形成された長尺形状の洗浄部材８、及び平板状の保護部材９を有し、洗浄部材８と保護部材９は重ね合わされ、芯線６、及び帯状体７にて挟み付けられ、保護部材９が洗浄部材８の外方に位置するよう折り合わされて形成されてあるので、被洗浄面には洗浄部材８と、保護部材９が当接する。その為、長尺形状の洗浄部材８の有する細分割部１０により、被洗浄面の細かな凹凸部分に強固に付着している汚れが掻き取られると共に、平板状の保護部材９により、被洗浄面の広い面積に付着している汚れを迅速に拭い取るので、洗車機用洗浄ブラシ１は優れた洗浄性能が発揮される。
【００５２】
また、保護部材９の自由端部１１は洗浄部材８の細分割部１０の形成領域内にて設定されてあるので、被洗浄面には洗浄部材８の有する細分割部１０と、保護部材９が当接する。従って、細分割部１０に比べて硬質な洗浄部材８の非細分割部は、保護部材９が重ね合わされているので、被洗浄面には直接、当接しない。その為、洗車機用洗浄ブラシ１は、ブラシ片５により被洗浄面に傷を付着させることが無い。
【００５３】
（実施例２）
図４は、本発明の第２の実施例における洗車機用洗浄ブラシを前面側から見た斜視図である。なお、上記第１の実施例と同一部品については、詳しい説明を省略する。
【００５４】
図４において、洗車機用洗浄ブラシ２１は、ブラシ片２５を芯線２６、及び帯状体２７にて挟み付けると共に、折り合わして形成された４本のチャンネルブラシ２２が、略円筒形状の軸体２３の外周等分４箇所に９０°捩られて螺旋状に配置されると共に、チャンネルブラシ２２の両端部に係止具２４を覆い被せ、係止具２４の両端部をネジ３２にて軸体２３に固定して形成されている。
【００５５】
ブラシ片２５は、先端に細分割部３０が形成された洗浄部材２８と、平板状の保護部材２９が重ね合わされ、芯線２６、及び帯状体２７にて挟み付けられると共に、保護部材２９が洗浄部材２８の外方に位置するように折り合わされている。また、保護部材２９の自由端部３１は、洗浄部材２８に形成された細分割部３０の形成領域内にて設定されている。
【００５６】
洗車機用洗浄ブラシ２１は、上記第１の実施例で示したように、最初に直線状のチャンネルブラシ２２を４本形成し、チャンネルブラシ２２の両端部に形成されたブラシ片２５を帯状体２７の近傍にて切り取り、軸体２３の外周面に配置する。次に、ブラシ片２５が切り取られたチャンネルブラシ２２の一方の端部に、係止具２４を覆い被せ、係止具２４の両端部をネジ３２にて軸体２３に固定する。次いで、チャンネルブラシ２２を９０°捩って、ブラシ片２５が切り取られたチャンネルブラシ２２の他方の端部に、係止具２４を覆い被せ、係止具２４の両端部をネジ３２にて軸体２３に固定して洗車機用洗浄ブラシ２１が製造される。
【００５７】
上記の如く構成された洗車機用洗浄ブラシ２１の動作、作用は下記の通りである。
【００５８】
洗車機用洗浄ブラシ２１は、４本のチャンネルブラシ２２が螺旋状に軸体２３に装着されてあると共に、係止具２４にて固定されてあるので、ブラシ片２５は連続的に被洗浄面に当接する。その為、洗浄性能が大幅に向上すると共に、ブラシ片２５が被洗浄面に当接する際の当接音の静音化につがる。
【００５９】
（実施例３）
図５は、本発明の第３の実施例における洗車機用洗浄ブラシの正面図、図６は、第３の実施例に使用する係止具が固定された軸体を前面側から見た斜視図、図７（ａ）は、保護部材の平面図、図７（ｂ）は、他の保護部材の平面図、図７（ｃ）は、保護部材と他の保護部材を重ね合わせ接合した平面図、図７（ｄ）は、ブラシ片の平面図、図７（ｅ）は、図７（ｄ）のＡ−Ａ断面図である。なお、上記第１、及び第２の実施例と同一部品については、詳しい説明を省略する。
【００６０】
図５において、洗車機用洗浄ブラシ４１は、ブラシ片４５を芯線（図示せず）、及び帯状体（図示せず）にて挟み付けると共に、折り合わして形成された１本のチャンネルブラシ（図示せず）が、略円筒形状の軸体４３の外周面に螺旋状に巻き付けられると共に、チャンネルブラシの両端部に係止具４４を覆い被せ、係止具４４の両端部をネジ５２にて軸体４３に固定して形成されている。
【００６１】
ブラシ片４５は、先端に細分割部５０が形成された洗浄部材４８と、平板状の保護部材４９ａ、及び他の保護部材４９ｂが重ね合わされ、芯線、及び帯状体にて挟み付けられると共に、保護部材４９ａ、及び他の保護部材４９ｂが洗浄部材４８の外方に位置するように折り合わされている。また、保護部材４９ａの自由端部５１ａ、及び他の保護部材４９ｂの自由端部５１ｂは、洗浄部材４８に形成された細分割部５０の形成領域内にて設定されている。
【００６２】
次に、洗車機用洗浄ブラシ４１の製造方法について説明する。
【００６３】
最初に、図６の如く、略円筒形状の軸体４３の外周面の両端部近傍に、複数の爪５３を有する係止具４４を、ネジ５２にて固定する。次に、図７（ａ）、及び図７（ｂ）の如くの平板状の保護部材４９ａ、及び他の保護部材４９ｂを用意する。保護部材４９ａと、他の保護部材４９ｂは長手方向、短手方向共に略同一の長さであり、同一の材質であっても構わないし、異なる材質であってもよい。
【００６４】
図７（ａ）において、保護部材４９ａの一方の自由端部５１ａ側には、長手方向の略中央部の近傍まで切り込まれた複数のスリット５４ａにより分割された複数の分割片５５ａが形成されてあると共に、他方の自由端部５１ａ側には、前記分割片５５ａの幅方向の略中央部に位置するよう設定され、長手方向の略中央部の近傍まで切り込まれた複数のスリット５４ｂにより分割された複数の分割片５４ｂが形成されている。また、図７（ｂ）において、他の保護部材４９ｂの一方の自由端部５１ｂ側には、長手方向の略中央部の近傍まで切り込まれた複数のスリット５４ｄにより分割された複数の分割片５５ｄが形成されてあると共に、他方の自由端部５１ｂ側には、前記分割片５５ｄの幅方向の略中央部に位置するよう設定され、長手方向の略中央部の近傍まで切り込まれた複数のスリット５４ｃにより分割された複数の分割片５４ｃが形成されている。スリット５４ａ、５４ｂ、５４ｃ、５４ｄの長さ、保護部材４９ａの両側縁部に位置する分割片５５ｂと他の保護部材４９ｂの両側縁部に位置する分割片５５ｃの幅、及び他の分割片５５ａ、５５ｂ、５５ｃ、５５ｄの幅は、全て略同一に設定されている。なお、保護部材４９ａの両側縁部に位置する分割片５５ｂと他の保護部材４９ｂの両側縁部に位置する分割片５５ｃ以外の分割片５５ａ、５５ｂ、５５ｃ、５５ｄの幅は、２０〜５０ｍｍ程度に設定される。幅が２０ｍｍ未満の場合には、被洗浄面の広い面積に付着している汚れを拭い取りにくくなり、幅が５０ｍｍを超える場合には、被洗浄面の曲面部分に当接しにくく、洗浄性能の著しい向上にはつながらない。
【００６５】
次に、図７（ｃ）の如く、保護部材４９ａの上に、他の保護部材４９ｂを重ね合わせる。その結果、保護部材４９ａの有するスリット５４ａにより形成された分割片５５ａの幅方向の略中央部に、他の保護部材４９ｂの有するスリット５４ｃが位置すると共に、保護部材４９ａの有するスリット５４ｂにより形成された分割片５５ｂの幅方向の略中央部に、他の保護部材４９ｂの有するスリット５４ｄが位置する。また、他の保護部材４９ｂの有するスリット５４ｃにより形成された分割片５５ｃの幅方向の略中央部に、保護部材４９ａの有するスリット５４ａが位置すると共に、他の保護部材４９ｂの有するスリット５４ｄにより形成された分割片５５ｄの幅方向の略中央部に、保護部材４９ａの有するスリット５４ｂが位置することになり、分割片５５ａと分割片５５ｃ、及び分割片５５ｂと分割片５５ｄは互いに千鳥形状をなしている。また、保護部材４９ａの自由端部５１ａと、他の保護部材４９ｂの自由端部５１ｂは略一致している。
【００６６】
そして、スリット５４ａ、５４ｂ、５４ｃ、５４ｄが形成されていない保護部材４９ａと他の保護部材４９ｂの長手方向の略中央部を、縫製による接合部５６を介して、保護部材４９ａと他の保護部材４９ｂを接合する。接合部５６の形成方法は、前記縫製以外にも、リベット止め、ネジ止め、ホッチキス等の物理的接合方法、接着、溶着、圧着等の化学的接合方法を用いることができる。また、特に接合部５６を形成しなくともチャンネルブラシを形成することはできるが、接合部５６を形成し、予め保護部材４９ａと他の保護部材４９ｂを重ね合わせて接合しておくことで、チャンネルブラシを形成する際の作業性が向上する。
【００６７】
次に、図７（ｄ）の如く、重ね合わされ、接合された保護部材４９ａと他の保護部材４９ｂの上に、両端部に細分割部５０が形成された複数の洗浄部材４８を重ね合わせてブラシ片４５が形成される。ブラシ片４５は、図７（ｅ）の如く、接合部５６を介して接合された保護部材４９ａと他の保護部材４９ｂの略中央部に、洗浄部材４８の略中央部が重ね合わされるよう配置され、保護部材４９ａの自由端部５１ａと、他の保護部材４９ｂの自由端部５１ｂは、洗浄部材４８の先端に形成された細分割部５０の形成領域内に位置するよう設定されている。
【００６８】
上記の如く、形成されたブラシ片４５は、上記実施例１の図３で示したように、芯線、及び帯状体にて挟み付けられて折り合わされチャンネルブラシに形成される。チャンネルブラシの一方の端部に形成されたブラシ片４５は切り取られ、前記チャンネルブラシの端部は、図６に示した一方の係止具４４の両側に形成された爪５３の間に挿入され、爪５３を内側に折り畳むことにより、固定される。次に、軸体４３を回転させながら、チャンネルブラシを、軸体４３の外周面の周りに捩りを加えて螺旋状に巻き付け、チャンネルブラシの他方の端部に形成されたブラシ片４５を切り取り、軸体４３の外周面に取り付けられた他方の係止具４４に形成された爪５３にて、チャンネルブラシの他方の端部を固定し、洗車機用洗浄ブラシ４１が製造される。
【００６９】
上記の如く構成された洗車機用洗浄ブラシ４１の動作、作用は下記の通りである。
【００７０】
洗車機用洗浄ブラシ４１を構成するチャンネルブラシは、傾斜角度を有する為、洗車中における洗車機用洗浄ブラシ４１の保水性が高まる。また、保護部材４９ａと他の保護部材４９ｂはスリットにより形成された分割片５５ａ、５５ｂ、５５ｃ、５５ｄを有するので、分割片５５ａ、５５ｂ、５５ｃ、５５ｄは被洗浄面の広い面積に付着している汚れを除去すると共に、被洗浄面の曲面部分にたいしても当接しやすくなる。その為、洗車機用洗浄ブラシ４１は、洗浄性能が飛躍的に向上する。
【００７１】
また、保護部材４９ａと他の保護部材４９ｂに形成された分割片５５ａと分割片５５ｃ、及び分割片５５ｂと分割片５５ｄは互いに千鳥形状をなしているので、チャンネルブラシが軸体４３の外周面に螺旋状に巻き付けられても、洗浄部材４８の非細分割部は保護部材４９ａと他の保護部材４９ｂに重ね合わされ、洗浄部材４８の非細分割部が直接、被洗浄面に当接することが無いので、被洗浄面にブラシ片４５による傷を付着させることが無い。すなわち、洗浄部材４８と、分割片５５ａ、５５ｂが形成された保護部材４９ａのみによってブラシ片４５が形成されている場合、チャンネルブラシは軸体４３の外周面に螺旋状に巻き付けられているので、保護部材４９ａの有する分割片５５ａ、５５ｂは、軸体４３側から自由端部５１ａ側に向かって扇状に広がりながら形成される。その為、隣り合う分割片５５ａ、５５ｂの間に隙間が生じ、前記の如くの隙間部分から洗浄部材４８の非細分割部が表出することになる。ところが、他の保護部材４９ｂに形成された分割片５５ｃ、５５ｄは、保護部材４９ａに形成された分割片５５ａ、５５ｂと互いに千鳥形状をなしているので、隣り合う分割片５５ａ、５５ｂの間に生じた隙間部分には、分割片５５ｃ、５５ｄが埋め合わされることになり、洗浄部材４８の非細分割部が表出することがなくなるのである。
【００７２】
さらに、洗車機用洗浄ブラシ４１を製作する際、連続的にチャンネルブラシを形成し、軸体４３の外周面に巻き付けて、係止具４４にて固定すればよいので、作業性が大幅に向上する。その為、洗車機用洗浄ブラシ４１の生産コストの低減につながり、安価にて洗車機用洗浄ブラシ４１を提供することができる。
【００７３】
（実施例４）
図８は、本発明の洗車機用洗浄ブラシが搭載されてある洗車機の正面図である。
【００７４】
図８において、洗車機６０は、本発明の洗車機用洗浄ブラシ６１が搭載されてあり、前記洗車機用洗浄ブラシ６１は駆動源６２により回転駆動される。ノズル６３からは、被洗浄面にたいして、洗浄剤、及び洗浄水等が散布され、洗車機用洗浄ブラシ６１により、被洗浄面に付着している汚れが除去され、洗浄後は洗車機６０の乾燥手段である乾燥機６４により被洗浄面が乾燥される。なお、洗車機用洗浄ブラシ６１は、上記実施例における洗車機用洗浄ブラシ１、２１、４１のいずれかと同一である。
【００７５】
上記の如く構成された洗車機６０の動作、作用は下記の通りである。
【００７６】
洗車機６０は、優れた洗浄性能を有する洗車機用洗浄ブラシ６１が搭載されてある為、駆動源６２により洗車機用洗浄ブラシ６１を低速に設定すると共に、洗浄時間を短時間に設定した場合においても、洗い残しの発生が防止され、優れた洗浄性能が発揮される。また、高速回転した場合においても、被洗浄面に傷を付着させることが無い。
【産業上の利用可能性】
【００７７】
本発明の洗車機用洗浄ブラシは、主に、自動車あるいは車両の外面の被洗浄面に付着した汚れ等を洗浄する為の洗車機に搭載する洗車機用洗浄ブラシとして使用する。
【図面の簡単な説明】
【００７８】
【図１】（ａ）本発明の第１の実施例における洗車機用洗浄ブラシを前面側から見た斜視図、（ｂ）チャンネルブラシの断面図
【図２】（ａ）洗浄部材を前面側から見た斜視図、（ｂ）保護部材を前面側から見た斜視図
【図３】チャンネルブラシの製造状態を前面側から見た斜視図
【図４】本発明の第２の実施例における洗車機用洗浄ブラシを前面側から見た斜視図
【図５】本発明の第３の実施例における洗車機用洗浄ブラシの正面図
【図６】第３の実施例に使用する係止具が固定された軸体を前面側から見た斜視図
【図７】（ａ）保護部材の平面図、（ｂ）他の保護部材の平面図、（ｃ）保護部材と他の保護部材を重ね合わせ接合した平面図、（ｄ）ブラシ片の平面図、（ｅ）図７（ｄ）のＡ−Ａ断面図
【図８】本発明の洗車機用洗浄ブラシが搭載されてある洗車機の正面図
【符号の説明】
【００７９】
１、２１、４１、６１  洗車機用洗浄ブラシ
２、２２  チャンネルブラシ
３、２３、４３  軸体
４、２４、４４  係止具
５、２５、４５  ブラシ片
６、２６  芯線
７、２７  帯状体
８、２８、４８  洗浄部材
９、２９、４９ａ  保護部材
１０、３０、５０  細分割部
１１、３１、５１ａ、５１ｂ  自由端部
１２、３２、５２  ネジ
１３  基台
１４  縦ロール
１５  横ロール
４９ｂ  他の保護部材
５３  爪
５４ａ、５４ｂ、５４ｃ、５４ｄ  スリット
５５ａ、５５ｂ、５５ｃ、５５ｄ  分割片
５６  接合部
６０  洗車機
６２  駆動源
６３  ノズル
６４  乾燥機
【図１】
2008264139.tif 000004
【図２】
2008264139.tif 000005
【図３】
2008264139.tif 000006
【図４】
2008264139.tif 000007
【図５】
2008264139.tif 000008
【図６】
2008264139.tif 000009
【図７】
2008264139.tif 000010
【図８】
2008264139.tif 000011